(57)【要約】  枕等のコア（２）の周りに備えられ、天然もしくは合成のラテックス、ポリウレタン発泡体、あるいはその他の弾性材料で作られた快適層（５）を有する改良された枕、マットレス等であって、当該快適層（５）は、当該快適層（５）を通る不連続の切れ目（６）を主に平行線（７）に沿って有すること、及び、当該快適層（５）は、快適層（５）を通る通路（８）を形成するように切れ目（６）を開くために、上記平行線（７）の方向に対して主に直角の横方向（Ｐ）に引き伸ばされた、コア（２）の周りのジャケットの少なくとも一部を形成すること、を特徴とする、改良された枕、マットレス等。【選択図】  図１
2008546490.tif 000002
【特許請求の範囲】
【請求項１】
枕等のコア（２）の周りに備えられ、天然もしくは合成のラテックス、ポリウレタン発泡体、あるいはその他の弾性材料で作られた、快適層（５）を有する改良された枕、マットレス等であって、
当該快適層（５）は、当該快適層（５）を通る不連続の切れ目（６）を主に平行線（７）に沿って有すること、及び、
当該快適層（５）は、快適層（５）を通る通路（８）を形成するように切れ目（６）を開くために、上記平行線（７）の方向に対して主に直角の横方向（Ｐ）に引き伸ばされた、コア（２）の周りのジャケットの少なくとも一部を形成すること、を特徴とする、
改良された枕、マットレス等。
【請求項２】
当該ジャケットは快適層（５）の少なくとも２箇所の端側面（９−１０）を接合することによって形成されることを特徴とする請求項１に記載の改良された枕、マットレス等。
【請求項３】
当該快適層（５）の当該端側面（９−１０）は接着剤によって接合されていることを特徴とする請求項２に記載の改良された枕、マットレス等。
【請求項４】
当該ジャケットの引き伸ばされていない状態での横寸法がコア（２）の外周より小さいので、当該ジャケットが引き伸ばされていることを特徴とする請求項１から３までのいずれか１つに記載の改良された枕、マットレス等。
【請求項５】
当該ジャケットが完全に閉じていることを特徴とする請求項１から４までのいずれか１つに記載の改良された枕、マットレス等。
【請求項６】
当該快適層（５）が所謂粘弾性発泡体で作られていることを特徴とする請求項１から５までのいずれか１つに記載の改良された枕、マットレス等。
【請求項７】
当該切れ目（６）が規則的なパターンで備えられることを特徴とする請求項１から６までのいずれか１つに記載の改良された枕、マットレス等。
【請求項８】
当該切れ目（６）が千鳥状のパターンで備えられることを特徴とする請求項１から７までのいずれか１つに記載の改良された枕、マットレス等。
【請求項９】
当該快適層（５）は特定の領域において、より多く又はより少なく引き伸ばされていることを特徴とする請求項１から８までのいずれか１つに記載の改良された枕、マットレス等。
【発明の詳細な説明】
【技術分野】
【０００１】
本発明は改良された枕、マットレス等に関する。
【０００２】
詳しくは、本発明はコアがスプリングで形成され、利用者の快適感をより高め、該利用者の体の輪郭により適合するように該コアの周りに快適層が備えられている枕等に関する。
【背景技術】
【０００３】
該快適層は通常裏地布の真下に位置している。
【０００４】
梳綿を経て快適層に製造され、繊維の溶解によってくっついた、ポリエステル繊維の様々な層のように、様々なタイプの快適層が既に知られている。
【０００５】
これら従来の快適層は非常に心地よく感じられ、枕、マットレス等を覆うために今も頻繁に使われている。
【０００６】
しかしながら、このような従来の快適層の欠点は、繊維が圧縮され元の形状を復元するための弾力性を欠くに連れて、それらが非常に早く弾力性を失ってしまうことで、結果として関与する製品の快適性は減少し、使用に適さなくさえなってしまう。
【０００７】
天然もしくは合成のラテックスで作られた快適層も同様に周知のものである。
【０００８】
これらの周知の快適層は、圧縮されるとすぐに原形を留めなくなるという点では問題はないが、天然もしくは合成のラテックスが閉じたセル構造を有するため、そのような快適層が例えばマットレスに使われた場合、湿った空気や汗がマットレスに浸透しないという欠点がある。
【０００９】
これに関連する欠点は、換気が成されないために利用者がさらに汗をかき、快適感が全く達成されないことである。
【００１０】
最新の周知の快適層は粘弾性ポリウレタン発泡体で作られている。
【００１１】
このタイプの柔らかい発泡体は、温度の影響を受け、一種の熱可塑性物質のような作用を示すので、この快適層は体温によってより柔らかくなり、体や頭の周りにまるで巻き付くようになる。
【００１２】
この材料の主な欠点は、発泡体の構造に存在する沢山の閉じたセルであり、そのためここでも、必要な換気が大きく欠落し、頭や体が次第に温かい感覚に捕らわれ、汗は発散できない。
【発明の開示】
【発明が解決しようとする課題】
【００１３】
本発明の目的は、ひとつあるいは幾つかの上記及びその他の欠点を改善し、使用時に大いなる快適感を与える枕、マットレス等を提供することである。
【課題を解決するための手段】
【００１４】
この目的を達成するために、本発明は、枕等のコアの周りに備えられ、天然もしくは合成のラテックス、ポリウレタン発泡体、あるいはその他の弾性材料で作られた、快適層を有する改良された枕、マットレス等であって、当該快適層は、当該快適層を通る不連続の切れ目を主に平行線に沿って有すること、及び、当該快適層は、快適層を通る通路を形成するように切れ目を開くために、上記平行線の方向に対して主に直角の横方向に引き伸ばされた、コアの周りのジャケットの少なくとも一部を形成すること、を特徴とする、改良された枕、マットレス等に関する。
【００１５】
該快適層の弾性材料を切り込み、その切れ目を開くように引き伸ばすことにより、通路が作り出され、該通路は、そのような改良された快適層が、完全に空気を通すようになり、従って該切れ目を通して汗や湿気を全て取り除き、完全な空気循環をもたらす可能性を提供する、という利点を提供する。
【００１６】
もう１つの利点は、該切れ目が開口するように引き伸ばされている時、該快適層は極めて柔らかく作ることが可能なことであり、これは固形の快適層においては常に実現できるわけではない。
【００１７】
このように、例えば、耐久性はないが、小型の快適層は枕のカバー層として用いるために十分な程柔らかい。
【００１８】
さらに、切れ目を設け、該快適層を開口するように引き伸ばすことによって、快適層の厚さが数％減少するだけでおよそ７５％の平均表面積増加が得られるので、提案された改良された快適層は非常に経済的な方法で製造することができる。
【００１９】
また、ラテックスや特に粘弾性ポリウレタン発泡体は非常に高価な材料であるが、廃棄物は一切発生せず、経済的に理に適っている。
【００２０】
該快適層の厚さの作用として、さまざまな用途や所望の柔軟性のために、求められる菱形の開口を作ることができるように、該切れ目は長さや相互の距離を様々に変更しても良い。
【００２１】
このことによって、自動化された方法で改良された快適層を実現し、該快適層の品質を容易に調整することが可能になる。
【００２２】
改良された快適層は、好ましくは、既に上記に述べたように温度感度が良く、体温と圧力の影響の下で体の形になり、使用後は常にその元の形に戻るような粘弾性ポリウレタン発泡体で作られているのが良い。
【００２３】
改良された快適層を特定の領域において、他の領域と比べてより大きい範囲又はより小さい範囲に引き伸ばすことによって、快適領域は利用者の要望に応じた様々な局所的特性を有するように作ることができる。
【００２４】
また、特定の領域においてより大きい又はより幅の広い切れ目を設けることによって、あるいは切れ目がある領域や無い領域を設けることによって、様々な快適領域を作り出すことができる。従って、例えば、程度の異なる柔らかさを有する領域あるいは体への異なる支持効果を有する領域を作り出すことができる。このようにして、枕、マットレス等の縁をよりしっかりと硬く作ることができる。
【００２５】
ジャケットを形成する該快適層は、引き伸ばされていない状態での横寸法が枕、等のコアの外周より小さいので、好ましくは、引き伸ばされているのが良い。
【００２６】
これによって、快適層を引き伸ばされた位置に保つために、該快適層が接着されあるいは付着される、支持フレームあるいは支持層は必要でない。
【００２７】
このように、枕等は、円筒形のジャケットあるいはポーチを形成するため、快適層の両端側面を一緒に接着することによって、極めて簡単な方法で実現できる。ジャケットの寸法に対して、より寸法の大きなコアが挿入され、それにより、該快適層は、少なくとも切れ目の方向に対して直角の横方向に引き伸ばされた状態に保たれる。
【発明を実施するための最良の形態】
【００２８】
本発明の特徴をさらに詳しく説明するために、本発明に係る改良された快適層の好ましい実施形態について、非限定的な単なる例として添付の図面を参照しつつ以下に示す。
【００２９】
図１に示す改良された枕１は「不織」材料４の一片に接着されたポリウレタンで作られた円筒形発泡スプリング３のコア２から成る。
【００３０】
コア２は、快適層５で作られたジャケット内に備えられ、当該快適層５は、本発明の場合、ポリウレタン発泡体、ラテックス、あるいは、好ましくは、粘弾性発泡体の層として形成され、当該層において、当該快適層５が使用される前には、快適層５の厚さを貫く不連続の切れ目６は、図３に示されているように、主として平行線７に沿って、設けてある。
【００３１】
切れ目６は、好ましくは規則的なパターンで、特に図３に示すように、千鳥状のパターンで備えられているのが良い
【００３２】
切れ目６を備えた快適層５がコア２の周囲に設けられる時、本発明によれば該快適層５は図３の矢印Ｐの横方向へと引き伸ばされる。この方向は上記線７の方向に主に直角であり、その結果、図２に示すように、快適層５を通る通路８を形成するように切れ目６が引き伸ばされて開く。
【００３３】
快適層５を引き伸ばすために、該快適層５の両端側面９及び１０は接着剤等により互いに接合され、円筒形ジャケットあるいはシェルあるいはポーチが作り出される。その結果、快適層５は引き伸ばされることができ、コア２を滑り入れることができる。次に、円筒形のシェルの開口側が接着剤等により閉じられ、該快適層５は完全に閉じられたジャケットあるいはポーチをコア２の周囲に形成する。
【００３４】
枕１はさらに布製のスリーブ１１で仕上げられる。
【００３５】
別の実施形態として、改良された快適層５は「不織」布の形状の支持層の片側あるいは両側に予め設けられていても良い。その際、該支持層には切れ目も設けられ、快適層５に対してより大きいせん断強度と引張り強度を与える。
【００３６】
切れ目６の長さＡが、一列に並んだ切れ目６の間の相互の距離Ｂよりも大きい時に、横になったり着席したりする際の快適性に関係する限り、良い結果が得られ、快適層５を引き伸ばすと、菱形あるいはダイヤ形の通路８が得られる。
【００３７】
切れ目６の長さＡは、好ましくは一列に並んだ切れ目６の間の距離Ｂのほぼ２倍に達するのが良く、切れ目６がそれに沿って備えられた平行線７の間の距離Ｃは、一列に並んだ切れ目６の間の距離Ｂよりも小さい。
【００３８】
利用者の所望により該快適層５をより大きな範囲にあるいはより小さな範囲に引き伸ばすことで、快適層５の柔らかさを調節することができることは明らかである。
【００３９】
このことは、また、枕１等の特定の領域において局所的に、他の領域よりもより多く又はより少なく快適層５を引き伸ばすことで、快適性を調節することを可能にする。
【００４０】
快適層５の特性はまた、快適層５の厚さや選択された発泡体の硬さ、あるいは切れ目６や通路８の幾何学的データを変えることにより、利用者の所望に応じて調節される。
【００４１】
切れ目６は必ずしも直線に沿って備えられる必要はない。それらは角があったり曲がったりした切れ目でも良く、他のどんな形状のものでも、曲線に沿っている切れ目でも良い。
【００４２】
もし必要であれば、快適層５を特定の領域でより硬くあるいはより柔らかくする、例えば枕１の縁でより硬くするために、改良された該快適層５はパターンが異なる切れ目６を有する異なる部分から成っていても良い。
【００４３】
改良された快適層５はまた、このようにまた、様々な快適領域が作り出されるように、硬さの度合いを変えた細長い列で形成されていても良い。
【００４４】
コア２が必ずスプリングで作られている必要はないことは明らかであるが、しかし、コア２に詰めるために他の弾性材料も用いることができるということは明らかである。
【００４５】
該ジャケットは全て切れ目が付いた快適層で作られなければならないわけではないが、例えば、利用者の体の部分を支持するために用いられる該ジャケットのその部分だけがこのような層で作られること、そしてこの快適層は端側面９及び１０の両方に付けられた紐あるいは布の一片のような物によって、両端側面９及び１０を一緒に引っ張ることで引き伸ばされることもまた明らかである。
【００４６】
本発明は上記に説明され、添付の図面に示された実施形態に限定されるものではなく、逆に、このような枕は、本発明の範囲を逸脱することのない様々な異なる実施形態で具体化することができる。
【図面の簡単な説明】
【００４７】
【図１】図１は本発明に係る改良された枕の概略断面図である。
【図２】図２は図１における線ＩＩ−ＩＩによる断面図である。
【図３】図３は別の状態での図２と同様の図である。
【符号の説明】
【００４８】
１        枕
２        コア
３        スプリング
４        材料
５        快適層
６        切れ目
７        線
８        通路
９        端側面
１０      端側面
１１      スリーブ
【図１】
2008546490.tif 000003
【図２】
2008546490.tif 000004
【図３】
2008546490.tif 000005
【国際調査報告】
2008546490.tif 000006
2008546490.tif 000007
2008546490.tif 000008